(57)【要約】  光導波路に沿ってホットスポットなどの測定量異常を特定するための装置が提供され、装置は、光導波路と、導波路に沿ってパルス光を透過するように構成された光源と、導波路に沿って提供される第１及び第２のセットのセンサを含む。各センサは、測定量に対応するそれぞれのセンサ波長で導波路に沿って伝搬する光の一部を反射するように構成される。第１のセットのセンサは、そのグループ内の測定量異常を検出するように構成されたセンサの１つまたは複数のグループを提供する。第２のセットは複数のセンサを含み、各センサは、パルス持続時間中に導波路に沿って光が移動する距離の半分を超える距離だけ導波路に沿って設定された隣接センサから離れている。第１のセットの複数のセンサは、第２のセットの各隣接センサの間に提供される。装置は、センサによって反射された光を監視するように構成された検出器と、光源及び検出器を制御して、少なくとも測定量異常を含むグループを特定することと、第２のセットを使用して測定量を監視することとの両方を行うように構成された制御システムとをさらに含む。
2021532334.tif 000002
【特許請求の範囲】
【請求項１】
光導波路に沿って測定量を監視するための装置であって、前記装置は、
光導波路と、
前記光導波路を通して所与の波長及び持続時間の狭帯域パルス光を選択的に放射するように構成され、さらに前記光の前記波長を変調するように構成された光源と、
前記導波路に沿って提供される第１及び第２のセットのセンサであって、前記第１及び第２のセットの各センサは、測定量に対応するそれぞれのセンサ波長で前記導波路に沿って伝搬する光の一部分を反射するように構成される、前記第１及び第２のセットのセンサと、
前記第１のセットのセンサは、それらのセンサ波長に従って１つまたは複数のグループに構成され、各グループは複数のセンサを含み、それぞれのグループ内の各センサの前記センサ波長は、そのグループ内の前記各センサが経験する前記測定量が等しい場合には、実質的に等しく、
前記第２のセットの各隣接センサは、前記パルス持続時間中に前記導波路に沿って前記光が移動する距離の半分を超える前記距離だけ前記導波路に沿って離れており、前記第１のセットの複数のセンサは、前記第２のセットの各隣接センサの間に提供され、
前記第１及び第２のセットは、前記第１及び第２のセットの前記各センサが経験する前記測定量が等しい場合に、前記第１のセットの各センサのセンサ波長が、前記第２のセットの各センサの前記センサ波長とは異なるように構成され、
前記第１及び第２のセットのセンサによって反射される前記光を監視するように構成される検出器と、
以下のステップを実行させることによって、測定量異常を特定するように構成された制御システムとを含み、前記制御システムは、
（ｉ）前記光源を使用して前記光導波路に沿って光を透過することと、
（ｉｉ）前記第１のセットのセンサによって反射された前記光を監視して、前記第１のセットの前記各センサが経験する測定量を表す測定スペクトルを取得することと、
（ｉｉｉ）前記測定スペクトル内の異常信号を検出することであって、前記異常信号は固有波長を有し、前記第１のセットのセンサの異常センサから発生し、前記異常センサは前記測定量異常を経験する、前記異常信号を検出することと、
（ｉｖ）前記異常センサを含む前記グループを少なくとも特定することであって、前記制御システムは、以下のステップを実行させることによって、前記光導波路に沿った複数の位置において、さらに測定量を監視するように構成され、以下のステップは、
（ｖ）前記光導波路に沿って狭帯域光のパルス列を放射し、前記パルス列は、異なるそれぞれのピーク波長での複数のパルスを含む、前記放射することと、
（ｖｉ）前記導波路に沿った前記第２のセットのセンサによって反射された前記光を監視することと、
（ｖｉｉ）前記第２のセットで反射された前記監視光に基づいて、前記第２のセットの各センサの測定量を推定することとを含む、前記装置。
【請求項２】
ステップ（ｉｖ）は、前記異常信号の前記固有波長で光のパルスを透過することによって前記異常センサの位置を特定することと、前記反射信号の前記飛行時間を監視することとを含む、請求項１に記載の装置。
【請求項３】
前記第１及び第２のセットは、前記第１のセットの２つのセンサが前記第２のセットの各センサに隣接して提供されるように配置される、請求項１または２に記載の装置。
【請求項４】
前記グループは前記導波路に沿って互いに空間的に離れている、請求項１〜３のいずれかに記載の装置。
【請求項５】
前記第２のセットのセンサは、前記第２のセットの各センサが経験する前記測定量が等しい場合に、前記第２のセットの前記各センサの前記センサ波長が実質的に等しくなるように構成される、請求項１〜４のいずれかに記載の装置。
【請求項６】
前記第１のセットのセンサの各グループは、前記第２のセットよりも高い空間密度のセンサを有する、請求項１〜５のいずれかに記載の装置。
【請求項７】
前記第１のセット内の各グループの各隣接センサは、前記パルス持続時間中に前記導波路に沿って前記光が移動する距離の半分未満の前記距離だけ前記導波路に沿って離れている、請求項１〜６のいずれかに記載の装置。
【請求項８】
前記第１のセットの前記センサは、各グループの前記センサから反射された前記光の少なくとも一部分が、前記測定スペクトルの連続するピーク幅を有する各グループのグループ応答を形成するように波長が実質的に重なるように構成され、前記異常信号は前記グループ応答のいずれとも波長が重ならない、請求項１〜７のいずれかに記載の装置。
【請求項９】
各セットの前記センサは、そのセットの固有波長帯域内にあるそれぞれのセンサ波長を有し、前記第１及び第２のセットの前記固有波長帯域が重ならない、請求項１〜８のいずれかに記載の装置。
【請求項１０】
ステップ（ｉ）で透過される前記光は、前記第１のセットの前記固有波長帯域内の１つまたは複数の波長を有する、請求項９に記載の装置。
【請求項１１】
ステップ（ｖ）で透過される前記光は、前記第２のセットの前記固有波長帯域内のピーク波長を有する、請求項９または１０に記載の装置。
【請求項１２】
前記光源は、ステップ（ｉ）で使用するための広帯域モードと、ステップ（ｖ）で使用するための狭帯域モードとの間で切り替え可能である、請求項１〜１１のいずれかに記載の装置。
【請求項１３】
前記光源はレーザを含む、請求項１〜１２のいずれかに記載の装置。
【請求項１４】
前記光源は、０．１ｎｍ未満の帯域幅を有するステップ（ｖ）において狭帯域パルス光を放射するように構成される、請求項１〜１３のいずれかに記載の装置。
【請求項１５】
前記光源は、０．１ｐｍ未満の帯域幅を有するステップ（ｖ）において単色パルス光を放射するように構成される、請求項１〜１４のいずれかに記載の装置。
【請求項１６】
前記光源は、連続波モードとパルスモードとの間で選択的に切り替え可能である、請求項１〜１５のいずれかに記載の装置。
【請求項１７】
前記光源は、前記放射光の前記パルス持続時間を制御するように構成されたシャッタまたはスイッチ機構をさらに備える、請求項１〜１６のいずれかに記載の装置。
【請求項１８】
前記第１及び第２のセットの各センサは、前記センサでの測定量の変化に応じて前記センサ波長が摂動されるように構成される、請求項１〜１７のいずれかに記載の装置。
【請求項１９】
前記第１及び第２のセットの各センサは、ファイバ・ブラッグ・グレーティングを含み、各ファイバ・ブラッグ・グレーティングの前記センサ波長はブラッグ波長である、請求項１〜１８のいずれかに記載の装置。
【請求項２０】
前記第２のセットのセンサによって前記導波路に沿って反射された前記光の前記強度を監視するように構成された受信機をさらに含む、請求項１〜１９のいずれかに記載の装置。
【請求項２１】
前記受信機は、前記反射光の前記強度に基づいて１つまたは複数の測定量を監視するように構成される、請求項２０に記載の装置。
【請求項２２】
前記測定量は、温度、応力またはひずみである、請求項１〜２１のいずれかに記載の装置。
【請求項２３】
前記第２のセットの各隣接センサ間の前記間隔は０．５〜２．０メートルである、請求項１〜２２のいずれかに記載の装置。
【請求項２４】
請求項１〜２３のいずれかに記載の装置を使用して、導波路に沿って測定量を監視するための方法であって、前記方法は、
ステップ（ｉｉｉ）中に前記異常信号が検出された場合は、ステップ（ｉ）〜（ｉｉｉ）を実行し、ステップ（ｉｖ）に進むことと、
ステップ（ｉｉｉ）中に前記異常信号が検出されなかった場合は、ステップ（ｖ）〜（ｖｉｉ）を実行することとを含む、方法。
【請求項２５】
ステップ（ｉｉｉ）は、前記異常信号が所定の測定量範囲内の測定量に相当するかどうかを決定することと、前記測定量が前記所定の測定量範囲内にある場合にのみステップ（ｉｖ）に進むこととを含む、請求項２４に記載の方法。
【請求項２６】
ステップ（ｉｉｉ）は、前記異常信号が所定の波長範囲内で発生するかどうかを決定することと、前記異常信号が前記所定の波長範囲内で発生する場合にのみステップ（ｉｖ）に進むこととを含む、請求項２４または２５に記載の方法。
【請求項２７】
ステップ（ｉｉｉ）は、異常信号の前記強度が強度閾値を超えるかどうかを決定することと、前記強度が前記強度閾値を超える場合にのみステップ（ｉｖ）に進むこととを含む、請求項２４〜２６のいずれかに記載の方法。
【請求項２８】
ステップ（ｉｉｉ）は、スペクトル分析技法を使用して前記異常信号を検出することを含む、請求項２４〜２７のいずれかに記載の方法。
【請求項２９】
前記スペクトル分析技法は、前記測定スペクトルと目標スペクトルとの間の差に対応する前記測定スペクトル内の前記異常信号を検出することができるよう、前記測定スペクトルを前記目標スペクトルと比較することを含む、請求項２８に記載の方法。
【請求項３０】
前記スペクトル分析技法は、前記光学信号強度または前記測定値のいずれかの所定の閾値を参照することなく、前記測定スペクトルの前記形状を分析することを含む、請求項２８または２９に記載の方法。
【請求項３１】
前記スペクトル分析技法は、前記測定スペクトルと予想スペクトルとの間の差を表す偏位パラメータを評価し、次に前記偏位パラメータを閾値と比較することをさらに含む、請求項２８〜３０のいずれかに記載の方法。
【請求項３２】
前記スペクトル分析技法は、異なる時間に取得された前記測定スペクトルの変化を監視することをさらに含む、請求項２４〜３１のいずれかに記載の方法。
【請求項３３】
ステップ（ｉ）は、前記第１のセットのセンサの前記各センサ波長を含む波長範囲にわたって光を透過することを含む、請求項２４〜３２のいずれかに記載の方法。
【請求項３４】
ステップ（ｉ）は、前記第１のセットのセンサの前記各センサ波長で狭帯域光を連続して透過することを含む、請求項２４〜３３のいずれかに記載の方法。
【請求項３５】
ステップ（ｉｖ）は、前記固有波長で狭帯域光のパルスを透過することを含む、請求項２４〜３４のいずれかに記載の方法。
【請求項３６】
ステップ（ｉ）は連続波モードでレーザを動作させることを含み、ステップ（ｉｖ）はパルスモードで前記同じレーザを動作させることを含む、請求項２４〜３５のいずれかに記載の方法。
【請求項３７】
ステップ（ｖｉ）は、前記導波路に沿って反射された前記光の前記強度を監視することを含み、前記測定量が、前記監視強度に基づいてステップ（ｖｉｉ）で推定される、請求項２４〜３６のいずれかに記載の方法。
【請求項３８】
ターゲット装置と、請求項１から２３のいずれかに記載の装置を含み、前記導波路は、前記ターゲット装置に沿った異なる位置で測定量を監視するように構成される、センサシステム。
【請求項３９】
前記ターゲット装置は、流体を運ぶように構成された導管である、請求項３８に記載のセンサシステム。
【請求項４０】
前記導波路は、前記導管からの前記流体の漏れを特定するように構成され、前記漏れは前記測定量異常に相当する、請求項３９に記載のセンサシステム。
【請求項４１】
前記導管は航空機の抽気ダクトである、請求項３９または４０に記載のセンサシステム。
【請求項４２】
前記ターゲット装置は電気装置である、請求項３８に記載のセンサシステム。
【請求項４３】
複数の位置で測定量を監視するためのキットであって、前記キットは、光導波路と、所与のパルス持続時間で前記導波路に沿って光のパルスを透過するように構成された光源とを含み、前記光導波路は、
前記導波路に沿って提供される第１及び第２のセットのセンサであって、前記第１及び第２のセットの各センサは、測定量に対応するそれぞれのセンサ波長で前記導波路に沿って伝搬する光の一部分を反射するように構成される、前記第１及び第２のセットのセンサを含み、
前記第１のセットのセンサは、それらのセンサ波長に従って１つまたは複数のグループに構成され、各グループは複数のセンサを含み、それぞれのグループ内の各センサの前記センサ波長は、そのグループ内の前記各センサが経験する前記測定量が等しい場合には、実質的に等しく、
前記第２のセット内の各隣接センサは、前記パルス持続時間中に前記導波路に沿って前記光が移動する距離の半分を超える前記距離だけ前記導波路に沿って離れており、各グループの隣接センサは、前記パルス持続時間中に前記導波路に沿って前記光が移動する距離の半分未満の前記距離だけ離れており、前記第１のセットの複数のセンサは、前記第２のセットの各隣接センサの間に提供され、
前記第１及び第２のセットは、前記第１及び第２のセットの前記各センサが経験する前記測定量が等しい場合に、前記第１のセットの各センサの前記センサ波長が前記第２のセットの各センサの前記センサ波長とは異なるように構成される、キット。
【発明の詳細な説明】
【技術分野】
【０００１】
本発明は、導波路（waveguide）に沿って測定量を監視し、導波路に沿って測定量異常を特定する方法及び装置に関する。
【背景技術】
【０００２】
多くの業界では、測定量を監視し、これらの測定量異常、例えば、正常な動作範囲を上回るか、または下回る温度などを設備に伴う様々な位置で特定することが望まれる。その一例が航空宇宙産業である。現代の航空機は、エアコンの作動、飛行面の氷結の防止、高度での飛行時に電子機器が冷えすぎるのを防止するなどの機能にエンジンの「抽気」を利用することがよくある。この抽気は、コンプレッサの初期段階の直後にジェットエンジンまたはターボプロップエンジンから排出されるため、高圧及び高温（最大３００℃）になり、航空機内を断熱ダクトで運ばれる。これらのダクトの１つで漏れが発生すると、高温の抽気が漏れ、航空機のシステム及び漏れに近い構造物にまで、急速に損傷を与える可能性がある。したがって、損傷が発生する前に、故障したダクトを通過する空気の流れを遮断できるように、漏れがいつどこで発生するかを知ることが重要である。
【０００３】
漏れまたは「ホットスポット検出」（ＨＳＤ）の現在の好適な方法は、各ダクトに沿って１つまたは２つの連続する電気センサを実行することを含む。これらのセンサは金属管を含み、金属管は外部導体及び固体塩の中央に懸架されたワイヤを形成し、これらは内部導体を形成する。正常な動作では、２つの導体は相互から電気的に絶縁されているが、温度が特定の値に達すると、塩が溶解し、それらの間で短絡が発生する。これが検出され、２つの導体間の電気的特性（例えば、抵抗及び静電容量）の測定を使用して、いわゆるホットスポットの位置が特定される。次に、ホットスポットの位置をユーザに警告するアラームが発生する。この技術は機能的であるが、このシステムには次のような不利な特徴がある。すなわち、
１）様々なアラーム温度に対応するためにセンサの様々な部分で様々な組成が使用され得るが、アラームが発生する温度は、塩の組成によって決まり、調整することはできない。
２）塩で満たされた導体は、短い長さでのみ製造することができ、剪断力の下で破損する傾向にある。これは、通常、導体が比較的短い長さで製造されるため、ダクト全体を覆うために多数のセクションを接続する必要があることを意味する。例えば、航空機の１つの抽気ダクトを覆うには、２００個のコネクタが必要になる場合がある。これらのセンサの設置には時間がかかる。さらに、各コネクタは、さらなる潜在的な障害ポイントをもたらす。
３）必要な金属部品やコネクタの数が多いため、センサチェーンは重くなる。
４）電気測定の性質上、漏れを常に正確に特定できるとは限らない。
【０００４】
光ファイバを使用して圧力、温度、ひずみなどの測定量を監視することが知られている。これらの技法は、一般に、マルチセグメント化された塩で満たされたケーブルに関連する上記の問題の影響を受けることはない。ブリルアン散乱またはラマン散乱のいずれかの後方散乱光検出に基づく現在の分布温度センサ（ＤＴＳ）は、航空機の使用には適していない。その理由は、これらが強力なレーザを必要し、当該レーザは高エネルギかつ高価で精巧な光電子処理ユニットにより発火の危険性をもたらす可能性があるためである。
【０００５】
ファイバ・ブラッグ・グレーティング（ＦＢＧ）は優れた温度センサになるが、ＨＳＤにそれらを使用することは簡単ではない。その理由は、これらがポイントセンサであり、適用においては数十メートルのダクトを連続して覆う必要があるためである。時分割多重化（ＴＤＭ）及び波長分割多重化（ＷＤＭ）は、ＦＢＧを使用して測定量を監視するために一般的に使用される２つの技法である。
【０００６】
ＴＤＭシステムは、抽気ダクトに沿った漏れの検出に必要な空間密度を提供することができない。従来のＴＤＭシステムでは、反射パルスを飛行時間に従って個別に分解するために、通常、センサを導波路に沿って少なくとも１ｍは離す必要がある。通常、漏れは非常に局所的であり、最初は５ｃｍにわたるのみであるため、システムでは全体で９５％の確率で漏れる。
【０００７】
ＷＤＭでは、抽気ダクトを覆うために必要な多数のセンサを実際に提供することはできない。ＷＤＭでは、各ＦＢＧセンサは、異なる離散波長帯域内の異なるそれぞれのブラッグ波長で光を反射するように構成されている。現在のＷＤＭシステムは、ファイバあたり約１３０のＦＢＧセンサに制限されている。ＦＢＧセンサがそれぞれ５ｃｍ間隔で離れている場合、つまり、１メートルあたり２０個のＦＢＧがある場合、システムは１３０／２０＝６．５ｍに制限される。これは、抽気ダクトの長さが５０ｍ以上に及ぶ可能性があるため、短すぎる。したがって、ＷＤＭシステムを動作させるには多数のファイバが必要であり、システムのコスト及び複雑性が増大する。
【０００８】
光周波数領域リフレクトメトリは、１本のファイバ上で数百の低反射率グレーティングに対処するための技法である。しかしながら、高価で精巧な機器（通常は１０万米ドルを超える）が必要であるため、航空機などの用途には適していない。
【０００９】
上記の欠点の影響を受けない、光導波路に沿って測定量異常を特定するための改善された方法及び装置を提供することが望ましい。特に、広範囲の細長い領域に沿って測定量異常を高い空間精度で特定することができる、簡素性、軽量性、頑強性、柔軟性を備え、費用対効果の高い装置を提供することが望ましい。
【００１０】
さらに、導波路に沿った多数の個別の位置で測定量をサンプリングすることができることが望ましい。特に、特定の既存のシステムは、測定量異常が発生した場合に、導波路に沿って測定量異常を特定する機能をユーザに提供する。しかしながら、光学センサの配置では、そのような異常が存在しない場合、識別可能な位置で測定量自体を監視することができない。
【００１１】
本発明は、これらの課題を解決するために説明される。
【発明の概要】
【課題を解決するための手段】
【００１２】
本発明の第１の態様は、光導波路に沿って測定量を監視するための装置を提供し、装置は、
光導波路と、
光導波路を通して所与の波長及び持続時間の狭帯域パルス光を選択的に放射するように構成され、さらに光の波長を変調するように構成された光源と、
導波路に沿って提供される第１及び第２のセットのセンサであって、第１及び第２のセットの各センサは、測定量に対応するそれぞれのセンサ波長で導波路に沿って伝搬する光の一部分を反射するように構成される、第１及び第２のセットのセンサと、
第１のセットのセンサは、それらのセンサ波長に従って１つまたは複数のグループに構成され、各グループは複数のセンサを含み、それぞれのグループ内の各センサのセンサ波長は、そのグループ内の各センサが経験する測定量が等しい場合には、実質的に等しく、
第２のセットの各隣接センサは、パルス持続時間中に導波路に沿って光が移動する距離の半分を超える距離だけ導波路に沿って離れており、第１のセットの複数のセンサは、第２のセットの各隣接センサの間に提供され、
第１及び第２のセットは、第１及び第２のセットの各センサが経験する測定量が等しい場合に、第１のセットの各センサのセンサ波長が、第２のセットの各センサのセンサ波長とは異なるように構成され、
第１及び第２のセットのセンサによって反射される光を監視するように構成される検出器と、
以下のステップを実行させることによって、測定量異常を特定するように構成された制御システムとを含み、制御システムは、
（ｉ）光源を使用して光導波路に沿って光を透過することと、
（ｉｉ）第１のセットのセンサによって反射された光を監視して、第１のセットの各センサが経験する測定量を表す測定スペクトルを取得することと、
（ｉｉｉ）測定スペクトル内の異常信号を検出することであって、異常信号は固有波長を有し、第１のセットのセンサの異常センサから発生し、異常センサは測定量異常を経験する、異常信号を検出することと、
（ｉｖ）異常センサを含むグループを少なくとも特定することであって、制御システムは、以下のステップを実行させることによって、光導波路に沿った複数の位置において、さらに測定量を監視するように構成され、以下のステップは、
（ｖ）光導波路に沿って狭帯域光のパルス列を放射し、パルス列は、異なるそれぞれのピーク波長での複数のパルスを含む、放射することと、
（ｖｉ）導波路に沿った第２のセットのセンサによって反射された光を監視することと、
（ｖｉｉ）第２のセットによって反射された監視光に基づいて、第２のセットの各センサの測定量を推定することとを含む。
【００１３】
標準のＷＤＭシステムとは異なり、測定量が各センサで同じ場合、各センサが異なるセンサ波長で光を反射する必要はない。これは、装置が導波路に沿って提供可能なセンサの数に制限されないことを意味する。さらに、ＴＤＭシステムとは異なり、異常信号は、各センサから反射された光を個別に分解して分析するのではなく、測定スペクトル（第１のセットの各センサからの集約応答を使用して取得される）で検出される。これは、第１のセットの各センサを導波路に沿って最小距離だけ離す必要がないことを意味する。さらに有利なことに、塩で満たされた導体の代わりに光導波路に沿って分散されたセンサを使用することにより、装置を軽量かつ柔軟にすることができる。これは、燃料効率を改善するために航空機の重量を減らす傾向にある航空宇宙産業で特に望ましい。
【００１４】
第２のセットのセンサは、第２のセットのセンサから反射された各パルスが個別に分解可能であるように有利に配置されている。さらに、第２のセットのセンサは、第１のセットのものである隣接センサとは異なるセンサ波長を有するように構成される。これにより、第２のセットのセンサから反射されたパルスが第１のセットのセンサからの反射と干渉するのを防ぐ。これにより、第２のセットのセンサの位置に対応する導波路に沿った複数の別個の位置で測定量をサンプリングすることが可能になる。したがって、導波路が設置されているシステムに関して、貴重な運用データを取得することができる。さらに、同じ長さの導波路を使用して、第１のセットの高密度センサから測定量異常を検出することと、第２のセットのセンサに対応する複数の別個の位置で測定量を検出することとの両方を行うことができる。
【００１５】
いくつかのシナリオでは、測定量異常の位置を概算するために、どのグループが異常センサを含むかを単純に決定するだけで十分な場合がある。グループが１つしか提供されていない場合は、異常信号が検出されるとすぐに、異常センサを含むグループを特定することができる。複数のグループが提供される場合、異常センサを含むグループは、測定スペクトルを分析するプロセスによって検出され得る。次に、グループの配置に関して事前に保存された情報を使用して、測定量異常の位置を概算することができる。より正確な位置が必要な場合、ステップ（ｉｖ）は、異常信号の固有波長で光のパルスを透過させることによって異常センサの位置を特定することと、反射信号の飛行時間を監視することとを含み得る。したがって、異常信号は、測定スペクトルで検出することができ、光のパルスは、異常信号の固有波長で透過される。通常、測定量異常を経験しているセンサのみが、この固有波長で放射された光の一部分を反射するだろう。したがって、反射信号の飛行時間は、異常なセンサ、したがって測定量異常の位置を特定するために計算され得る。異常信号の検出には、固有波長を特定するプロセスが含まれる。
【００１６】
異常信号は通常、測定量異常が発生した場合にのみ測定スペクトルに表示される別個のピークである。異常信号は、通常、複数のセンサの異常センサからの反射に相当するガウス分布または同様の分布（正弦分布など）の近似を示す。固有波長は、異常信号が占める波長範囲内で発生し、ピーク波長またはその近似値に相当する場合がある。
【００１７】
ステップ（ｖ）のパルス列内の各パルスは、異なるピーク波長を有し得る。したがって、パルス列は複数のパルスからなり得、各連続パルスは、以前のパルスよりも高いまたは低い波長を有する（波長の変化は、通常、連続パルス間で共通の方向に進行する）。代替的には、放射光の波長がパルス列の次のパルスのために調整される前に、複数のパルスが１つまたは複数の波長で放射され得る。
【００１８】
第１及び第２のセットは、好適には、第１のセットの２つのセンサが第２のセットの各センサに隣接して提供されるように配置される。したがって、第１及び第２のセットは、第１のセットのセンサが第２のセットの各センサの両端に提供されるように散在し得る。これにより、高密度の測定量を取得することができる。
【００１９】
第２のセットのセンサは、好適には、第２のセットの各センサが経験する測定量が等しい場合に、第２のセットの各センサのセンサ波長が実質的に等しくなるように構成される。これにより、導波路の製造方法と、第２のセットのセンサを使用して測定量を監視する後続のプロセスとの両方が簡素化される。特に、第２のセットの各センサに対処するために必要なパルスは、これらのセンサが共通の測定値で異なるセンサ波長を持つ場合よりも少なくなる。
【００２０】
第１のセットのグループは、通常、導波路に沿って互いに空間的に離れている。したがって、第１のセットの異なるグループは、空間的な意味で重ならない可能性がある。したがって、有利なことに、検出された異常は、異常センサを含むグループを識別するだけで（つまり、異常センサ自体の位置を特定する必要なく）導波路が設置される導管の特定の領域が原因であることをより容易に特定することができる。通常、各グループ内の複数のセンサは、第２のセットの各隣接センサの間に提供される。
【００２１】
最も一般的には、第１のセットのセンサの各グループは、第２のセットよりも高い空間密度のセンサを有する。第２のセットのセンサとは異なり、第１のセットの隣接センサを導波路に沿って最小距離だけ離す必要はない。したがって、導波路に沿った特定の位置で測定量異常を検出する機会を高めるために、第１のセットの各隣接センサ間の間隔を第２のセットの間隔よりも小さくすることが望ましい。対照的に、第１のセットの各センサ間に大きな隙間が残っている場合、センサのない導波路の領域で発生する測定量異常は検出されない可能性がある。このため、第１のセット内の各グループの各隣接センサは、好適には、パルス持続時間中に導波路に沿って光が移動する距離の半分未満の距離だけ導波路に沿って離れている。
【００２２】
第１のセットのセンサは、通常、各グループのセンサから反射された光の少なくとも一部分が、測定スペクトルの連続ピーク幅を有する各グループのグループ応答を形成するように、波長が実質的に重なるように構成される。異常信号は通常、グループ応答のいずれとも波長が重ならない。これにより、異常センサの検出が容易になる。
【００２３】
それぞれのグループの各センサのセンサ波長は、そのグループの各センサが経験する測定量が等しい場合、実質的に等しくなる。しかしながら、製造プロセスの結果として、センサの波長間にわずかな偏差が生じる場合がある。したがって、「実質的に」という言葉は、０．１ｎｍの波長範囲内のセンサ波長を含むと解釈され得る。好適には、測定量が等しい場合、これらの波長は等しい。センサの波長は、センサの反射率が最も高い特定の波長に対応し得る。センサのセンサ波長は、通常、測定値の変化に応じて変化する。異常信号は、次に、グループ内のセンサの１つでの測定量が、グループ内の残りのセンサの測定量とは大幅に異なる場合にのみ発生する可能性がある。したがって、有利には、測定量異常を経験している異常センサのみの位置を分離して検出することができる。
【００２４】
通常、第１のセットのセンサは、各グループのセンサから反射された光の少なくとも一部分が、測定スペクトルの連続ピーク幅を有する各グループのグループ応答を形成するよう、波長が実質的に重なるように構成され、異常信号はグループ応答のいずれとも波長が重ならない。測定量の僅かな変化は、通常、所与のグループの異なるセンサ間で発生する可能性があり、これらのわずかな変化は、正常な動作条件の一部であるローカル環境における変化に相当する。しかしながら、測定量異常は、測定量が以前の測定時よりも大幅に高いまたは低い場合、またはグループの残りのセンサによって監視されている測定量と大幅に異なる場合にのみ検出及び特定されることが望ましい。各グループのセンサを配置してそれぞれのグループ応答を形成することにより、測定スペクトルのピーク分析を使用して異常信号を識別することができる。
【００２５】
好適には、各セットのセンサが、そのセットの固有波長帯域内にあるそれぞれのセンサ波長を有し、第１及び第２のセットの固有波長帯域が重ならない。例えば、第２のセットの各センサは、正常な温度または高温の変動にわたって、第１のセットのセンサのセンサ波長のいずれよりも高いまたは低いままであるそれぞれのセンサ波長を導波路に沿って有し得る。これにより、ステップ（ｉ）〜（ｉｖ）が実行された後、光源を新しい波長に調整して、第１のセットのセンサからの不要な反射を引き起こす危険を伴うことなく、第２のセットのセンサからの反射を引き起こすことができるため、信号取得技法が簡素化される。例えば、ステップ（ｉ）で透過される光は、第１のセットの固有波長帯域内の１つまたは複数の波長を有し得る。さらに、ステップ（ｖ）で透過される光は、第２のセットの固有波長帯域内のピーク波長を有し得る。
【００２６】
ステップ（ｉ）は、広帯域源または狭帯域源のいずれかを使用して実行することができる。ステップ（ｉ）での広帯域源の使用は、狭帯域源の光を段階的に増減する「スペクトル掃引」を実行する必要がないため、潜在的により効率的である。代わりに、光は、第１のセットの各センサからの反射を引き起こすと予想される波長スペクトルにわたって透過され得る。対照的に、第１のセットのセンサからの反射を発生させることなく、ステップ（ｖ）で第２のセットのセンサに個別に対処するには、狭帯域源が必要である。同様に、異常センサが反射信号の飛行時間に従って配置されている場合、ステップ（ｉｖ）で狭帯域源が使用されるだろう。したがって、光源は、ステップ（ｉ）で使用するための広帯域モードと、ステップ（ｖ）及び場合によってはステップ（ｉｖ）で使用するための狭帯域モードとの間で切り替え可能であり得る。しかしながら、取得可能な信号対雑音比が改善され、より単純な（かつより安価な）検出器が使用され得るため、狭帯域源を、全体を通して使用することが好ましい。
【００２７】
狭帯域光源の帯域幅は０．１ｎｍ未満である。しかしながら、好適には、狭帯域光源は単色光源である。これらの帯域幅は０．０１〜０．１ｐｍである。さらに好適には、光源はレーザを含み、放射光の線幅は、好適には７５ＧＨｚ未満、より好適には５０ＭＨｚ未満である。光源は、好適には、連続波モードとパルスモードとの間で選択的に切り替えることができる。連続波モードはステップ（ｉ）で使用することができ、パルスモードはステップ（ｖ）で使用することができ、場合によってはステップ（ｉｖ）でも使用することができる。さらに、光源は、放射光のパルス持続時間を制御するように構成されたシャッタまたはスイッチ機構を備え得る。したがって、光源は連続波モードで動作することができ、外部シャッタまたは変調器を使用してパルスを生成することができる。
【００２８】
第１及び第２のセットの各センサは、通常、センサでの測定量の変化に応じてセンサ波長が摂動されるように構成される。例えば、第１及び第２のセットの各センサは、好適には、ファイバ・ブラッグ・グレーティングを含み、この場合、各センサのセンサ波長はそのブラッグ波長である。
【００２９】
装置は、第２のセットのセンサによって導波路に沿って反射された光の強度を監視するように構成された受信機をさらに含み得る。狭帯域または好適には単色光源が使用される場合、放射光の波長は既に知られている可能性があるため、反射光の波長を監視する必要はない。特に、透過光の特定の波長がセンサからのピーク反射を引き起こす場合、この波長はそのセンサのセンサ波長であると考えることができる。したがって、そのセンサでの測定量はそれに応じて推測することができ、このときに反射光の波長を測定する必要はない。したがって、受信機は、反射光の強度に基づいて測定量を監視するように構成することができる。
【００３０】
分析中の測定量は、通常、温度であるが、応力またはひずみの場合もある。さらに、第２のセットの各隣接センサ間の間隔は、通常、０．５から２．０メートルの間である。
【００３１】
本発明の第２の態様は、第１の態様に従う装置を使用して、導波路に沿って測定量を監視するための方法であって、方法は、
ステップ（ｉｉｉ）中に異常信号が検出された場合は、ステップ（ｉ）〜（ｉｉｉ）を実行してステップ（ｉｖ）に進むことと、
ステップ（ｉｉｉ）中に異常信号が検出されなかった場合は、ステップ（ｖ）〜（ｖｉｉ）を実行することとを含む、方法を提供する。
【００３２】
例えば、初期化手順を実行する場合、最も注意することは、光導波路に沿って測定量異常を特定することであり得る。そのような測定量異常が検出された場合、適切な措置を講じることができるように測定量異常を特定することが望ましいであろう。ステップ（ｉ）〜（ｉｖ）は、例えば、測定量異常が追跡されるように、異常信号が検出されるたびに繰り返され得る。そのような測定量異常が見つからない場合でも、ステップ（ｖ）〜（ｖｉｉ）を実行することにより、第２のセットの各センサから貴重な測定量データを取得することができる。任意には、ステップ（ｉ）〜（ｉｉｉ）は、１、１０、１００または１０００ミリ秒ごとなど、定期的に繰り返すことができる。
【００３３】
ステップ（ｉｉｉ）は、好適には、異常信号が所定の測定量範囲内の測定量に相当するかどうかを決定することと、測定量が所定の測定量範囲内にある場合にのみステップ（ｉｖ）に進むこととを含む。所定の測定範囲は、通常、正常な動作範囲外にある測定量の所定の値に相当する。したがって、所定の測定量範囲は、所定の測定値を上回る、及び／または下回る測定量の全ての値を含む場合があり、したがって、半無限の範囲であり得る。代替的には、所定の測定量範囲は有限であり得る。例えば、ステップ（ｉｉｉ）は、異常信号が所定の波長範囲内（例えば、波長閾値を上回るか、または下回る）で発生するかどうかを決定し、異常信号が当該所定の波長範囲内で発生する場合にのみステップ（ｉｖ）に進むことを含み得る。任意には、ステップ（ｉｉｉ）が、異常信号の強度が強度閾値を超えるかどうかを決定することと、強度が強度閾値を超える場合にのみステップ（ｉｖ）に進むこととを含み得る。これは、検出された異常信号がノイズの結果ではないことを確認するのに役立つ場合がある。データ内のノイズを考慮することは、説明した異常検出技法のそれぞれで有益である。
【００３４】
ステップ（ｉｉｉ）は、スペクトル分析技法を使用して異常信号を検出することを含み得る。好適には、ステップ（ｉｉｉ）のスペクトル分析技法は、測定スペクトルと目標スペクトルとの間の差に対応する測定スペクトル内の異常信号を検出することができるよう、測定スペクトルを目標スペクトルと比較することを含む。目標スペクトルは、例えば、較正プロセス中に得られた以前の測定スペクトルに相当し得る。
【００３５】
代替的には、ステップ（ｉｉｉ）は、例えば、測定スペクトル内の特定の幅の識別可能なピーク、異常信号に相当する当該ピークを検出することによって、及び／または特定の波長範囲内から発生した測定スペクトル内の反射信号を検出することによって、目標スペクトルを参照することなく実行され得る。より一般的には、スペクトル分析技法は、光学信号強度または測定値のいずれかの所定の閾値を参照することなく、測定スペクトルの形状を分析することを含み得る。これには、ピークの識別が含まれる場合がある。スペクトル分析技法は、測定スペクトルと予想スペクトルとの間の差を表す偏位パラメータを評価し、次に偏位パラメータを閾値と比較することを含み得る。そのような偏位パラメータは、例えば、新しいピークの識別、またはピークの平均位置もしくは中心位置の移動に基づくことができる。さらに、スペクトル分析技法は、異なる時間に取得された測定スペクトルの変化を監視することをさらに含み得る。ゆえに、時系列のスペクトルを測定及び分析して、発生中の異常を検出することができる。
【００３６】
好適には、ステップ（ｉ）が、第１のセットのセンサのセンサ波長のそれぞれを含む波長範囲にわたって光を透過させることを含む。これは、広帯域光または狭帯域光のいずれかを使用して実現することができる（狭帯域光の波長が、各センサ波長を含むスペクトル範囲を網羅するように調整されている場合）。例えば、ステップ（ｉ）は、第１のセットのセンサの各センサ波長で狭帯域光を連続して透過することを含む。このシーケンスは、異なる波長の連続パルスを含み得る。代替的には、狭帯域光の波長は、各センサ波長を含む波長の範囲にわたって連続的に調整され得る。
【００３７】
好適には、ステップ（ｉｖ）は、固有波長で狭帯域光のパルスを透過することを含む。反射パルスはその後、異常センサのみから受信することができる。
【００３８】
測定スペクトルを取得するために、連続波モードでレーザの形態で光源を操作し、さらに、ステップ（ｖ）及び（ｉｖ）（該当する場合）について同レーザをパルスモードで操作することは有益である。これはまた、異常検出及び測定量サンプリングを繰り返す必要がある用途の実現要素であり、この方法は、有利には、ステップ（ｉ）〜（ｉｉｉ）（任意には、ステップ（ｉｖ）も）とステップ（ｖ）〜（ｖｉｉ）との間で迅速に交互に繰り返し切り替えることをさらに含むものであった。これは通常、外部シャッタまたは変調器の操作によって可能になるだろう。
【００３９】
ステップ（ｖｉ）は、好適には、導波路に沿って反射された光の強度を監視することを含む。次に、前述の通り、監視された強度に基づいて、ステップ（ｖ）で測定量を推定することができる。
【００４０】
本発明の第３の態様は、ターゲット装置と第１の態様による装置とを含むセンサシステムを提供し、導波路は、ターゲット装置に沿った異なる位置で測定量を監視するように配置される。例えば、ターゲット装置は、流体を運ぶように構成された導管であり得る。原則として、パイプラインを含めた様々な異なる導管を使用することができる。通常、導波路が、導管からの流体の漏れを特定するように構成され、漏れは測定量異常に相当する。例えば、導管は、導波路の周囲温度及び／またはローカル環境の温度とは実質的に異なる温度で流体（液体または気体など）を運ぶように構成され得る。特に有利な配置では、導管は航空機の抽気ダクトである。代替的には、ターゲット装置は、電気ケーブルなどの電気装置であり得る。この場合、導波路は、電気装置に沿った位置にホットスポットの形態で測定量異常を特定するように構成することができる。このホットスポットは、ケーブルの絶縁破壊または別のタイプの障害の結果であり得る。
【００４１】
本発明の第４の態様は、光導波路と、所与の持続時間で導波路に沿って光のパルスを透過するように構成された光源とを含むキットを提供し、光導波路は、
導波路に沿って提供される第１及び第２のセットのセンサであって、第１及び第２のセットの各センサは、測定量に対応するそれぞれのセンサ波長で導波路に沿って伝搬する光の一部分を反射するように構成される、第１及び第２のセットのセンサを含み、
第１のセットのセンサは、それらのセンサ波長に従って１つまたは複数のグループに構成され、各グループは複数のセンサを含み、それぞれのグループ内の各センサのセンサ波長は、そのグループ内の各センサが経験する測定量が等しい場合には、実質的に等しく、
第２のセット内の各隣接センサは、パルス持続時間中に導波路に沿って光が移動する距離の半分を超える距離だけ導波路に沿って離れており、各グループの隣接センサは、パルス持続時間中に導波路に沿って光が移動する距離の半分未満の距離だけ離れており、第１のセットの複数のセンサは、第２のセットの各隣接センサの間に提供され、
第１及び第２のセットは、第１及び第２のセットの各センサが経験する測定量が等しい場合に、第１のセットの各センサのセンサ波長が第２のセットの各センサのセンサ波長とは異なるように構成される。
【００４２】
上記のキットは、第１の態様の装置の一部として使用するために特別に適合されている。例えば、センサは、ステップ（ｉ）〜（ｖｉｉ）によって説明されるような通信プロトコルに従って対処するように配置される。したがって、第４の態様は、これまでの態様を参照して説明したものと同様の利点を提供する。第４の態様の特定の利点は、導波路が、標準的なＴＤＭシステムにおいて所与の長さの導波路に沿って達成することができるよりも、第１のセットにおいてより高い濃度のセンサを提供することである。さらに、第１及び第２のセットから選択されたセンサは、前述の技法に従って個別に対処され得る。
【００４３】
通常、少なくとも１ナノ秒のパルス持続時間が適用されるが、より短いパルス持続時間も想定される。同様に、第２のセットの各センサ間の間隔は通常、少なくとも０．１メートルであるが、特にパルス持続時間が１ナノ秒未満の場合は、より短い間隔も可能である。
【００４４】
態様の１つに関連して説明した各機能は、他の態様に関連して使用することもできる。
【００４５】
次に、本発明の実施形態を添付の図面を参照して説明する。
【図面の簡単な説明】
【００４６】
【図１】本発明の一実施形態による、装置の概略図である。
【図２】本発明の一実施形態による、方法の第１ステージを示すフロー図である。
【図３】本発明の一実施形態による、方法の第２ステージを示すフロー図である。
【図４】本発明の一実施形態による、共通グループ内のセンサからのスペクトル応答の例を示す図である。
【図５】本発明の一実施形態によって取得されたグループ応答の第１の例を示す図である。
【図６】本発明の一実施形態による、完全な測定スペクトルの第２の例を示す図である。
【図７】本発明の一実施形態による、測定量異常を示す完全な測定スペクトルの第１の例を示す図である。
【発明を実施するための形態】
【００４７】
図１は、本発明の一実施形態による装置１を示す。装置１は、光源１０及び検出器２０を含み、これらはインタロゲータ３０内に収容されている。インタロゲータ３０は、メモリ（揮発性及び不揮発性の両方）及びプロセッサを含むコンピューティングシステムの形態の制御システムを含む。インタロゲータ３０は、光源１０及び検出器２０を制御して、後に説明する方法を実行するように構成される。
【００４８】
光ファイバケーブルの形態の光導波路２が提供される。導波路２は複数のセンサ３を含み、これらは、その長さに沿って分布している（明確にするために、図１では第１のセンサのみに番号が付与されている）。光源１０は調整可能なレーザを含み、これは、導波路２に光学的に接続され、光のパルスを導波路２に沿って第１の方向１１に放射するためのものである。光源１０及び検出器２０は、検出器２０が第１の方向１１と反対の第２の方向１２でセンサ３によって反射された光を受信するように構成されるよう、導波路２の近位端に結合される。光源１０からの導波路２の遠位端には、反射を抑制する手段（図示せず）が設けられ、端部反射が導波路２を伝番して検出されるのを防ぐ。
【００４９】
各センサ３は、そのセンサの波長範囲（広義にはＦＷＨＭに対応）内で導波路２に沿って進む光の一部分を反射するように構成されており、ピーク反射は、センサ３が体験した測定量（この場合は温度）に従ってそれぞれのセンサ波長で発生する。通常、入射光のごく一部分が各センサ３で反射され、これは、例えば、最大で１％である。したがって、各ＦＢＧセンサ３は反射率が十分に低いので、光源１０に最も近いセンサは、遠くにあるセンサを強く遮断することはない。遮断には２つの効果がある。遠方のセンサに到達する光量が減少し、信号対雑音比が低下し、遠方のセンサから見たスペクトルが歪み、見かけ上の波長シフトが生じる。これにより、推定される測定量の読み取りの精度が低下する。例えば、センサが０．１８ｎｍのＦＷＨＭで光を反射する場合、最大誤差が１℃を超える前に、１％の反射率で２６個のセンサを提供することができる。代替的には、この誤差に達する前に、反射率０．５％で５０個のセンサ、または反射率２％で１２個のセンサを提供することができる。最大誤差は、より近い（ｎ−１）個のセンサのセンサ波長が完全に一致する場合に、ｎ番目のセンサで発生する。
【００５０】
各センサ３は、ファイバ・ブラッグ・グレーティング（ＦＢＧ）３を含む。ＦＢＧはグレーティングを含み、これは、強いＵＶレーザ光の空間的に変化するパターンを使用して、導波路２のコアに書き込まれ、屈折率に周期的な変調を生む。これらの周期的変調は、所与の測定量に基づいて所定のブラッグ波長で導波路２に沿って伝播する光を反射する。したがって、このブラッグ波長は、前述のセンサ波長を形成する可能性がある。ＦＢＧは、異なる周期性を有するグレーティングを製造することにより、同様の環境条件下で異なるセンサ波長を有するように形成することができる。
【００５１】
光源１０は、０．０４ｐｍの帯域幅を有する単色光を放射するように構成される。光源１０には、放射された各パルスの持続時間を制御するために使用されるシャッタ（または他の何らかのスイッチ機構）が設けられている。このシャッタは通常、１００ＭＨｚで動作するソリッドステートデバイスであり、１０ｎｓのパルスを提供し、これは、約１メートルの長さに相当する。適切なシャッタの例は、組み込みのＳＯＡ（半導体光増幅器）である。代替的には、ＥＡＭ（電気吸収変調器）またはＬｉＮｂＯ3マッハツェンダ変調器などの外部変調器を使用することができる。これらを使用して、過度のチャープがなく、均一な強度が有用な長期間にわたる短いパルスを生成することができる。変調器は、代替的には、干渉変調器、機械的シャッタ、電気光学変調器または音響光学変調器を含んでよい。
【００５２】
調整可能レーザは安定した出力を有し、光導波路２を通じて所与の波長とパルス持続時間の単色パルス光を選択的に放射するように構成することができる。これらのレーザはさらに、異なるパルスが異なる波長で放射可能になるように、当該放射光の波長を変調するように構成され得る。放射パルスは、正確な信号検出を容易にするために、明確に定義された立ち上がり及び／または立ち下がりエッジを有するだろう。適切なレーザ１０の例には、外部空洞レーザ、リング共振器、調整可能な分散型ブラッグ反射器レーザ及びファブリ・ペロー空洞で調整されたファイバレーザが含まれる。
【００５３】
検出器２０は、反射光の強度を監視するように構成され、受信した光の波長は、それぞれの放射パルスに対して光源１０が調整された波長であるとしてインタロゲータ３０によって予測される。しかしながら、代替的には、波長は検出器２０によって直接監視されてもよい。したがって、適切な検出器の例には、分光計、干渉計及び強度検出器が含まれる。パルス中に十分なデータポイントが確実にサンプリングされるようサンプリングレートを十分に高くする必要があるため、高速で高感度な検出が使用される。光源１０の柔軟なタイミング制御を使用して、異なる放射パルス間の波長（及び場合によっては、パルス持続時間）を変調し、戻りパルスの検出を送信パルスの放射に合わせて調整する。
【００５４】
センサ３は、第１のセット４及び第２のセット５に分割される。第１のセット４は３つのセンサグループ、つまり、第１のグループ６、第２のグループ７、第３のグループ８を含む（しかしながら、任意の数のグループを提供することができる）。各グループのセンサは同じように製造されているため、そのグループの各センサの温度が等しい場合、それぞれのグループの各センサのセンサ波長はほぼ等しくなる（つまり、０．１ｎｍ以内に等しい）。各グループのセンサのセンサ波長は、他のグループセンサのセンサ波長とは大幅に異なる（通常、少なくとも５ｎｍ）。等しい環境条件下で、第１のグループ６の各センサ３は第１センサ波長λ1を有し、第２のグループ７の各センサ３は第２センサ波長λ2を有し、第３のグループ８の各センサ３は第３のセンサ波長λ3を有する。したがって、第１のセット４内のセンサ３のセンサ波長は、λiとしてラベル付けされ、ここで、ｉは、センサ３が属するそれぞれのグループの番号である。
【００５５】
明確にするために、各グループ内には３つのセンサ３のみが示されている。一般的に、ｍ個のグループが提供され、各グループはｎ個のセンサを含む。ｎとｍの正確な値は、光源の波長範囲、異常が検出される測定範囲、センサ反射スペクトルのＦＷＨＭ及び必要な測定量の数など、用途の詳細に応じる。例えば、ｎは少なくとも５、少なくとも１０、少なくとも５０、少なくとも１００、少なくとも１０００、少なくとも２０００であり得、ｍは任意の自然数であり得るが、通常では少なくとも２で最大１０である。
【００５６】
装置１は、さらにターゲット装置を含むセンサシステムの一部を形成する。導波路２は、第１のセット４のセンサ３がターゲット装置上の位置で測定量異常の有無を検出することができるように、ターゲット装置に沿って延伸するように構成される。監視される特定の測定量は、用途によって異なる。装置１は、例えば、導管からの漏れている流体の有無を検出するために（漏れている流体が周囲環境よりも高温または低温である）、様々な異なる用途で使用される可能性がある。例えば、導管は、高温の液体または気体を運ぶパイプラインであり得る。したがって、装置１は、石油及びガス産業ならびに化学処理産業内で特定の適用性を有し得る。代替的には、ターゲット装置は、電気ケーブル配線を含んでよく、導波路は、このケーブル配線に沿った複数の異なる位置にホットスポットを配置するように構成される。別の実施形態では、導波路は、高電圧変圧器内部の絶縁破壊によって引き起こされるホットスポットを検出するように構成される。さらなる実施形態は、トンネル、橋、船及びパイプラインにおけるホットスポットまたは応力点の検出を含む。装置は一般的に軽量で柔軟性があるため、簡単な設置プロセスにより、様々な既存の設備に簡単に据え付けることができる。
【００５７】
本実施形態では、ターゲット装置は、航空機の抽気ダクトの形態をとった導管である。これらは航空機の周辺のエンジンからの熱気を運び、最大５０ｍの長さになり得る。導管に沿って漏れが発生した場合、幅２５ｍｍ程度になり得る熱気流が放出される。したがって、装置は、ホットスポットの形態で異常の有無を監視するように構成される。漏れを確実に検出するために、抽気ダクトの長さに沿って高濃度のセンサ３を設けることが望ましい。したがって、第１のセット４のセンサ３は、導波路２に沿って２５ｍｍ間隔で分離される。これは、前述の通り、従来のＷＤＭ／ＴＤＭ方式を使用して達成することはできない。各グループからの全てのセンサは、各グループが導管の異なる領域にわたって延伸するように、空間的に共にグループ化される。例えば、第１のグループからのセンサのみが、航空機の特定の翼にわたって延伸する導管の領域に沿って設けられてもよい。これは、第１のグループに起因するものとして識別可能な異常が、航空機のそれぞれの翼のホットスポットに起因するものとして起因することを可能にする。したがって、第１のセット４のセンサ３は、（測定量異常検出が最も必要とされる限り）ターゲット装置の要求に従って構成される。
【００５８】
第２のセット５は複数のセンサ３を備え、これらのセンサは、同じ環境条件下で同じセンサ波長λ4を有するように同一に製造されている。このセンサ波長λ4は、第１のセット４のいずれのセンサ波長とも異なり、通常、第１のセット４からのいずれかのセンサ波長よりも高いか、または低い。第２のセット５は、（第１のセット４の機能である）測定量異常の位置を特定するためではなく、導波路２に沿った複数の別個の位置で測定量をサンプリングするために設けられる。第２のセット５のセンサ３は、通常、第１のセット４を使用した異常量検出を必要とする「ハイリスクエリア」の外側に配置される。第２のセット５のセンサ３は、第１のセット４よりも導波路２に沿ってよりまばらに配置される。さらに、第１のセット４のセンサ３は、第２のセット５のセンサ３の間に交互に配置される。特に、第１のセット４の複数のセンサ３は、第２のセット５の各隣接センサの間に提供される。ゆえに、測定量異常は、第２のセット５を使用して測定量をサンプリングするために使用される導波路２と同じ長さに沿って検出され得る。本実施形態では、第１のセットからのセンサ３の各グループは、第２のセット５の２つの隣接センサ３の間に提供される。
【００５９】
第２のセット５の各隣接センサ３は、パルス持続時間中に導波路に沿って光が移動した距離の半分を超える距離だけ導波路２に沿って離れている。これは、連続する各センサ３から反射されたパルスが検出器によって個別に分解可能であることを満たしながら達成することができる最小の間隔である。これは、第２のセット５の各センサ３がＴＤＭ技法を使用して対処可能であることを保証する。半分の係数は、放射パルスと反射パルスとの間の光の方向の変化を考慮に入れている。１０ｎｓパルスの場合、最小間隔は約１．０メートルである。最も一般的には、第２のセット５の各隣接センサ３間の間隔は、少なくとも０．１メートルであるが、より短い間隔が使用され得る。同様に、パルス持続時間は通常、少なくとも１ナノ秒であるが、例えば、光導波路が純粋かつドープされた石英ガラスで形成される場合、より短いパルス持続時間を使用することができる。
【００６０】
いくつかの実施形態では、第１及び第２のセット４、５の隣接センサ間に不規則な間隔を有することが望ましい場合がある。例えば、第１のセット４の各グループは、ターゲット装置の過熱しやすい部分に対応する位置に配置されてよい。同じグループからのセンサ３は、これらの部分でクラスタ化することができる。さらに、これらの部分のいくつかは他よりも長い場合があるため、これらの部分を覆う対応グループは、それに応じてより多くのセンサ３を含む場合がある。同様に、例えば、導波路がターゲット装置と密接に接触していない場合に、測定量の読み取りを取得することが望ましくない導波路２の部分が存在する場合がある。第２のセット５のセンサ３は、これらのセクションに沿って提供されない場合がある。
【００６１】
第１及び第２のセット４、５からの各センサ３は、同じ長さ（通常、１〜１０ｍｍの間）を有する。局所的な測定量の変化が反射の変化に変換されるよう他のタイプのセンサも使用することもできる。例えば、強度変調センサ、干渉センサ（ファブリ・ペロー空洞など）または薄膜フィルタを使用してよい。
【００６２】
第１のセット４のセンサは、測定量異常を検出する可能性を高めるために、高いピーク反射率を有するように構成され得る。第２のセット５内では、各センサ３は、異なるピーク反射率を有し得る。例えば、ピーク反射率は、光源１０からの距離に従って増加し得る。これにより、光源１０により近いセンサ３が、（前述の通り）遮断によってさらに離れたセンサ３からのセンサ波長を測定する試みを妨害しないことが保証される。
【００６３】
第２のセット５の各センサ３は、光源からの既知の距離に設けられ、個別に分解可能な反射信号を返す。したがって、第２のセット５からの１つまたは複数のセンサ３を使用して、インタロゲータ３０を較正することができる。特に、光パルスの放射を引き起こすために生成される電気信号と反射パルスのその後の測定量との間の経過時間を測定して、導波路２における光の速度、及び該当する場合には任意の機械的または電気的遅延を計算することができる。
【００６４】
次に、装置１０を使用して本発明を実施する方法の実施形態を説明する。この方法の第１ステージには、測定量異常を特定するプロセスが含まれる。これについて、図２のフロー図を参照して説明する。最初に、シャッタが閉じられた状態で、光源１０は、所定の測定量範囲（一般的に、センサ３の全作動範囲）にわたって予測される第１のグループ６内の最も低いセンサ波長に対応する第１の波長に調整される。通常、センサ波長は、１００℃の温度変化ごとに最大１ｎｍの摂動を受ける。したがって、センサ３の全作動範囲は、通常１〜２ｎｍである。
【００６５】
ステップ１０１において、単色光は、シャッタの動作により、導波路２に沿って光源１０から透過される。放出された光の波長がセンサ３のそれぞれの波長範囲内にある場合（センサ波長を中心とするセンサのＦＷＨＭに近接する）、そのセンサ３は放射光の一部分をインタロゲータ３０に向かって反射し返す。放射光の波長がセンサ波長と等しい場合、最大の反射（つまり、反射光の強度が最大になる場所）が発生する。この実施形態では、各センサ３のＦＷＨＭは約０．３ｎｍであるが、より一般的には、ＦＷＨＭは、選択されたＦＢＧのサイズに応じて、０．１から２ｎｍの間で変動し得る。いくつかの実施形態では、０．１から０．２ｎｍの間のＦＷＨＭで光を反射するセンサ３を使用することが望ましい場合がある。測定量の変化により発生するセンサ波長の小さな摂動は、変調されたピーク周波数として検出することができる。
【００６６】
ステップ１０２で、反射光の強度が検出器２０によって監視される。反射光の波長は、インタロゲータ３０によって、反射光が検出される前に光源１０が調整された波長から決定される。
【００６７】
ステップ１０３では、シャッタが閉じた状態で、光源１０によって生成された光の波長が、例えば１００ｐｍだけ増加され、次に、シャッタが操作されて、新しい波長で導波路２に沿って光を透過する。代替的には、波長が増加している間は、シャッタは開いたままで、所望の波長に到達するまで反射光は無視されてもよい。次に、任意には、シャッタを操作して、新しい波長で光パルスを透過してよい。センサ３のＦＷＨＭよりも大幅に狭い帯域幅の光源を使用し、ＦＷＨＭよりも大幅に小さい間隔（例えば、ＦＷＨＭの５分の１の間隔）で放射光の波長を増加させることにより、第１のグループ６の各センサ３の反射スペクトルから十分な量のサンプルが作成されるため、そのグループのセンサ波長を適切に測定することができる。ステップ１０１から１０３は、第１のグループ６に関連する所定の範囲内の最高波長に到達するまで繰り返される。これらのステップはその後、残りのグループ７、８の各々に対して繰り返される。放射光の波長は、このプロセスの間だけ、第１のセット４に対応する固有波長帯域内に留まる。この波長帯域は通常、１５２８から１５６８ｎｍの範囲内である（電気通信業界で言及される「Ｃ帯域」に対応）。次に、各波長で反射された光の強度が集約され、第１のセット４のみのセンサ３に対応する測定スペクトルが取得される。任意には、ステップ１０３の一部として、測定スペクトルに曲線を適合させることができる。
【００６８】
ステップ１０１〜１０３は、インタロゲータ３０から取得された波長情報を用いて、パルス発光または連続発光のいずれかを使用して実行することができる。代替的には、広帯域光源を使用して、波長範囲全体にわたって連続光またはパルス光を放射し、反射光の強度及び波長を、分光計を使用して監視することができる。
【００６９】
信号送信及び取得ステップ（１０１〜１０３）は、第１のセット４の固有波長帯域にわたって、迅速かつ１ミリ秒以下の短い時間で完了することができる。したがって、これらのステップを数回繰り返して、単一のスキャンを使用して達成できるよりも改善された信号対雑音比を有する平均測定スペクトルを構築することが有利である。
【００７０】
第１のグループ６のセンサ３からの反射の形態をとる信号を含むスペクトルの第１の例が図４で示されている。各信号の波長は重なっている。各センサ３は、グレーティングの周期性が同じになるように製造されているが、図４に示す通り、（例えば）温度やひずみの変化、及び製造上のわずかなばらつきにより、異なるセンサ３間におけるそれぞれのセンサ波長はわずかに異なる。しかしながら、集約すると、センサ波長は、図５に示すグループ応答を形成し、測定スペクトルには、ほぼλ1の波長を中心とした連続ピークがある。
【００７１】
図４では、各センサ３からの反射パルスの強度は、検出器２０の飽和値の約２５％である。これらの信号が図５のスペクトルに集約されると、検出器２０が飽和状態になり、フラットトップ応答が表示される。この広い反射機能内の任意の所与のセンサ３の波長を決定することはできないが、導波路２に沿った最高温度及び最低温度の範囲は、機能の低波長エッジ及び高波長エッジを見ることで推定することができる。いくつかの実施形態では、検出器の飽和点は、光源の出力電力の１００％をわずかに超えるところで発生し、これにより、強度測定量を改善することができる。クリーンな信号が取得可能な場合、任意の反射率のセンサ３を使用することができる。
【００７２】
図６は、第１のセット４のグループ６、７、８のそれぞれからのグループ応答を示す測定スペクトルをさらに示している。ステップ１０４では、この測定スペクトルが分析される。本実施形態では、測定スペクトルは、目標スペクトルと比較され、あらゆる差はインタロゲータ３０によって識別される。目標スペクトルは、測定量異常が発生しない「正常な動作条件」の下でセンサ３が提供すると予想される、メモリに保存されたスペクトル応答であってよい。目標スペクトルは、例えば、測定量異常が発生していない、以前の測定スペクトルに相当する可能性があり、較正プロセスによって生成されてよい。次に、異常を特定するために、測定スペクトルが目標スペクトルから差し引かれてよい（結果として「差スペクトル」になる）。
【００７３】
代替的には、ピーク分析の方法は、グループ応答が、グループ応答と重ならない任意の他の別個のピークと共に識別される、測定スペクトルで実行されてよい。したがって、グループ応答は、測定スペクトル（任意の他のピークをさらに含む）と比較される目標スペクトルを形成する場合がある。したがって、場合によっては、異常は、光信号強度または測定値の所定の閾値を伴わないスペクトル分析によって特定されてよい。この手法では、スペクトルで表される測定量の「正常範囲」を外れる異常の偏位を表すよう偏位パラメータを定義して、この偏位パラメータを閾値と比較する。
【００７４】
偏位パラメータを定義するかどうかに関わらず、スペクトル分析では、反射スペクトルの下向き傾斜部分で上向きの変曲点を探すなど、個別に分解可能なピークの検出を行うことができる。したがって、異常値を事前に知る必要はなく、異常のない配置からの保存された信号との比較は行われない。これは、初期または定期的な較正要件を簡素化し、測定量自体ではなく、物理システムの変更によって引き起こされるシステムデータのあらゆる長期ドリフトを許容するため、実際には特に有利である。
【００７５】
上記の技法のいずれかと組み合わせて使用することができるさらなる別の手法とは、時間の経過に伴うスペクトルの変化を探すことで異常を特定することである。これは、記載の通り（ステップ１０１〜１０３）、関連する波長のスキャンを実行し、取得したスペクトルデータを以前のスキャンのスペクトルデータと比較し（以前のスキャンデータを差し引くなど）、次に、スペクトルデータの変化特性を探すことで達成され得る。異常は、「差スペクトル」の形状（比較の結果）、強度もしくは波長の閾値を超える差スペクトルの特性、またはスキャン数に応じた差スペクトルの特性の変化率に基づいて分類することができる。差スペクトルは、任意の数の以前のスペクトルの移動平均または適切な時間加重平均から計算することができる。
【００７６】
図７は、グループ応答のいずれにも重ならない固有波長λHを有するピークを示す測定スペクトルの一例を示している。この例では、第２のグループ７内の各センサ３は、「ホットスポット」の形態で温度異常を経験しているものを除いて、同様の温度である。したがって、この異常センサのセンサ波長は、（より長い波長に向かって）λHに摂動される。異常信号のＦＷＨＭは０．３ｎｍである。グループ応答は図面では誇張されているが、測定されたスペクトルでより広い特性を示し、異常信号よりも広い波長範囲にわたっている。図７では、各グループ応答の幅は約１ｎｍである。第２のグループ７のグループ応答及び異常信号は０．５ｎｍ離れており、これは５０℃の温度差に対応する。
【００７７】
次に、目標スペクトルと測定スペクトルの差を、上記の技法のいずれかを使用して調査する。ステップ１０５で、目標スペクトルと測定スペクトルの差に対応する生成信号の強度が「ノイズレベル」に相当する強度閾値（例えば、５％検出器飽和）を超える場合、この信号は、測定量異常が発生している異常センサから発生する異常信号に起因する。いくつかの実施形態では、異常信号は、所定の波長範囲内、例えば、波長閾値の上または下のピークについてのみ識別され、波長閾値は、温度異常が有すはずである最小温度偏差に相当する。例えば、波長の変化が少なくとも０．４ｎｍの場合にのみ温度異常を検出するという要件を設定してよく、これは、グループ応答または事前に保存されたスペクトルに対する４０℃の温度変化に相当する。他の場合では、異常は、対象の波長または強度の絶対的値に依存するのではなく、応答の偏差または変化に基づいて識別される。
【００７８】
さらなる例では、ステップ１０５は、目標スペクトルを全く参照することなく実行してよい。例えば、測定量異常に相当する所定の波長または波長範囲で発生する測定スペクトルのピークを探すことにより、（測定量異常が存在する場合にのみ、この波長で反射が発生することに基づいて）異常信号を検出することができる。任意には、インタロゲータ３０は、測定されたスペクトルにおいて閾値幅及び／または高さを有する信号のみを検出することができる。閾値強度、特性の幅、及び場合によっては特性の最大強度の保存値を除いて、比較は必要ない。
【００７９】
さらに代替的には、インタロゲータ３０は、異常信号の存在を検出するために、測定スペクトルの最小値（グループ応答と異常信号との間に発生する最小値）を検出するように構成され得る。代替的には、強度閾値を使用して、異常信号の有無を検出することができる。例えば、インタロゲータ３０は、最小値の次に最大値を探すのではなく、正の方向の次に負の方向で閾値強度を超える信号を探すことができる。次に、これら２つの交差の中間点を計算して、異常信号のピーク波長を決定することができる。
【００８０】
再び図７を参照すると、グループ応答のいずれとも重ならないλHを中心とするピークを識別することができる。この信号は、第２のセット７のグループ応答に最も近いため、第２のセット内のセンサから発信されていると見なすことができる。各グループには、インタロゲータ３０のファームウェアにプログラムされた独自の強度及び波長の閾値を割り当てることができる。閾値は、インタロゲータ３０上のソフトウェアを使用して制御可能であり得る。この場合、λHを中心とするピークは、第２のグループ７の強度閾値を超え、したがって、異常信号として識別される。異常信号は、導管の漏れの近位に位置し、その結果、ホットスポットを経験する第２のグループ７の異常センサから発生する反射パルスに相当する。したがって、測定量異常の位置は、第２のグループ７のセンサを含む導波路の部分内のどこかに近接し得る。次に、セットの配置に関する事前に保存された情報を使用して、漏れを含む導管の部分にこの位置を関連付けることができる。いくつかの用途では、これにより、方法がステップ１０９に直接進むための十分な情報が提供されてよく、このステップでは、アラームを発生させて他の予防措置を開始するかどうかに関する決定が行われる。例えば、前述の抽気の用途では、各ダクトは、それぞれが１つまたは複数のバルブによって分離された、いくつかの「分離ゾーン」を含み得る。第１のセット４からのセンサの各グループは、それぞれの分離ゾーン内に配置され得る。代替的には、分離ゾーンごとに複数のグループが存在する場合があるが、グループごとでは最大で１つの分離ゾーンが存在する。したがって、異常が発生したグループの検出は、その分離ゾーンに対応するバルブ（複数可）を閉じる決定を行うのに十分である。次に、この方法は、測定量異常のより正確な位置を見つけることができるように、ステップ１０６〜１０８に進むことができる。この情報は、整備員がアクセスパネルを不必要に取り外す必要なく、より迅速に漏れを見つけるのに役立つ場合がある。本実施形態では、方法は、代わりに、測定量異常のより正確な位置を見つけることができるように、ステップ１０５からステップ１０６〜１０８に直接進む。
【００８１】
次に、異常センサのセンサ波長が、異常信号のピーク波長として識別される。対応する測定値は±５℃（またはそれ以下）の精度で計算され、このデータはその後メモリに保存される。いくつかの実施形態では、次に、異常センサの測定値が所定の測定量閾値を超える場合にのみ、方法はステップ１０６に進む。異常信号が検出されない場合、または測定値が所定の測定量閾値を超えない場合、方法は第２ステージ２００（図３）に進み、この時点で、第２のセット５を使用して導波路に沿った位置で測定量が測定される。これは後述する。代替的には、ステップ１０１〜１０５はこの時点で繰り返すことができる。
【００８２】
ステップ１０６で、光源１０によって生成された光の波長は、異常信号の固有波長に調整され、その後、光のパルスが導波路２に沿って透過される。いくつかの例では、例えば、調整が個別ステップで行われ、ピーク値が２つの調整点の間にあるため、光源１０によって生成される光の波長をセンサ波長に対して正確に調整することができない場合がある。したがって、固有波長は、光源１０が光を透過することができる、異常センサのセンサ波長に最も近い波長であり得る。好適には、固有波長は、反射パルスが可能な最大強度の少なくとも５０％で返されるため、異常信号のＦＷＨＭ内で発生する。この範囲外では反射は弱くなるが、やはり測定可能である。
【００８３】
異常検出が、パルスモードでも動作可能なＣＷ（連続波）レーザによって取得されたスペクトル分析によって実行されることは、実際には大きな利点である。このようなレーザは、ＣＷモードの場合、信号強度、持続時間及び検出器速度の要件に対する緩和、ならびに検出器の出力のデジタルサンプリングのサンプルレート及びタイミングの点で利点を提供する。このような場合、異常の特定は、レーザを異常値に調整し、同じレーザをパルスモードに切り替えることによって実行され、この場合、タイミングの考慮のみが重要であり、返された信号の正確な振幅の測定は重要ではない。このパルスモードはまた、第２のセット７を使用して測定量を監視する第２ステージ２００にあり得る。したがって、単一の光源１０のみが使用され、スペクトル測定のためにＣＷモード（または実際にパルスモード）で動作することができ、同じ光源は、位置測定のためにパルスモードで動作する。これらの代替モードを使用すると、各機能を最適化することができる。スキャンモードと特定モード（任意のタイプの適切なレーザを使用）を迅速に交互に切り替えることで、あらゆる異常の発生を追跡することができ、タイミングモードが波長領域において異常を追跡できなくなるリスクを軽減することができる。この切り替えは、効果的に無期限に繰り返すことができる。切り替えは、好適には、異常が、例えば、スキャン／パルスサイクル間で０．５×（ＦＢＧ  ＦＷＨＭ）でピークの所定の割合を超えて移動しないのに十分な速さで実行される。
【００８４】
ステップ１０７で、反射パルスの飛行時間がインタロゲータ３０によって監視される。異常センサの位置（異常信号はここから発生する）は、ステップ１０８で、ｄ＝ｃｔ／２ｎを使用して飛行時間から計算され、ここで、ｄはインタロゲータ３０からの距離、ｃは真空中の光速であり、ｔはパルスが光源１０によって放射されてから反射パルスが検出器２０によって検出されるまでの経過時間（つまり、「飛行時間」）であり、ｎは導波路２の実効屈折率である。この式に従って計算された距離は、次に、結果的に測定量異常の位置でもある異常センサの位置を決定するために、導波路２の配置に関する事前に保存されたデータと比較される。例えば、導波路２が車両に設置されている場合、計算された距離は、測定量異常が検出された車両内の特定の位置に相当し得る（通常、±０．５ｍの精度）。任意には、センサ３の分布に関する事前に保存された情報をさらに使用して、異常センサの位置をより正確に決定することができる。
【００８５】
次に、方法はステップ１０９に進み、ここでインタロゲータ３０は、例えば、アラームをトリガする出力信号を発行するかどうかを決定する。例えば、測定値は、導波路２に沿ったその位置に固有の閾値と比較され得る。抽気の用途の場合、正常な動作温度範囲は−５５〜１２５℃であり、測定異常時に経験する可能性のある温度は３００℃にもなる可能性がある。実際には、閾値は予想される最大動作温度よりも２０℃高くなる場合がある。インタロゲータ３０がアラームを発するべきであると判断した場合、出力信号が生成され、インタロゲータ３０に電気的に接続されたユーザインターフェース（図示せず）でアラームがトリガされる。アラームは、ユーザに測定量異常の位置を通知し、任意には、測定値自体（例えば、ホットスポットの温度）を通知し、ユーザはこれに応じて行動することができる。このデータは、インタロゲータ３０のメモリに保存される。任意には、アラームをトリガする出力信号は、ステップ１０６で異常信号が検出された直後に生成され得る。他の実施形態では、制御システム（インタロゲータの一部を形成し得るか、または個別のコンピューティングシステムに相当する）は、出力信号に応答して自動的にアクションを実行することができ、例えば、異常センサの位置に相当するターゲット装置のセクションに消火器を作動させることができる。代替的には、制御システムは、出力信号に応じてターゲット装置の動作を変更することができる。
【００８６】
次に、この方法はステップ１１０に進み、ここでステップ１０１に戻り、測定量異常を検出するプロセスが繰り返される。したがって、測定量異常の有無は、そのような異常が検出されなくなるまで追跡することができる。この時点で、方法はステップ１０５から第２ステージ２００に進む（図３）。代替的には、方法は、ステップ１０９から第２ステージ２００に直接進むことができる。
【００８７】
インタロゲータ３０は、例えば、ファイバの破損またはコネクタの故障に起因する障害の有無を判断するように構成され得る。これは、例えば、ステップ１０４で測定スペクトルを監視して、以前に保存されたスペクトルと比較して、上昇した広帯域後方反射レベルの有無、または反射信号の著しい損失を検出することによって達成され得る。以前に保存されたスペクトルは、例えば、以前の操作スキャンから最近取得された測定スペクトルである可能性がある。代替的には、保存されたスペクトルではなく、予想される反射レベルに関する事前に保存された情報を使用して、障害を検出することができる。障害が検出された場合、光源１０は、センサ波長外の波長に調整されてよく、光の１つまたは複数のパルスが放射され得る。以前のように反射信号の飛行時間を計算することにより、障害の位置を特定することができる。この位置は報告されてメモリに保存され、後にメンテナンス中に修理される。インタロゲータ３０での高速信号処理により、装置は、スキャンの結果及びシステムの状態を１０から１００Ｈｚの速度で報告することができる。
【００８８】
次に、図３のフロー図を参照して、第２ステージ２００について説明する。この方法は、ステップ２０１で始まり、ここで調整可能なレーザ１０内で生成される単色光の波長が、センサの第２のセット５に関連する固有波長帯域内の波長に設定される。この固有波長帯域は、装置１０の正常な動作範囲にわたって第２のセット５のセンサからの反射が予想される波長の範囲に相当する。第１のセットのセンサ３のいずれからの反射もこれらの波長では予測されない。第２のセット５の固有波長帯域は、第１のセット４の固有波長帯域とは重ならない。しかしながら、第２のセット５の固有波長帯域はまた、前述のＣ帯域の内側にあり得る。
【００８９】
ステップ２０２では、検出器２０は、第２のセット５内から最も近い（つまり、第１の）センサから反射された光に相当するパルスが光源１０によって放射された後、一定の時間ウィンドウの間だけ光を監視するようにインタロゲータ３０によって設定される。検出器２０のゲインレベル（つまり、信号増幅）もまた、ＴＤＭの標準であるように、このセンサに関連するレベルに最初に設定される。ステップ２０３で、第１のパルス列が導波路２に放射される。パルス列は、第２のセット５の個別波長帯域内にある異なる波長の複数の個別パルスを含む。第１のパルスは、通常、第２のセット５に起因する固有波長帯域の最小波長に等しい波長を有する。第１のパルス列内の単色光の後続の各パルスの波長は、固有波長帯域に広がるように１００ｐｍずつ増加し、５０パルスで固有帯域内の最大波長に達する。代替の実施形態では、第２のセット５の固有波長帯域は、（各パルス間のより大きな波長間隔で）２０個のパルスのみに広がることができる。
【００９０】
各パルス間の波長間隔は、センサの波長を計算するために必要なスペクトル分解能によって決定されるため、処理技法及びセンサ３のＦＷＨＭによって異なる。各放射パルス間の最小時間間隔は、インタロゲータ３０と第２のセット５の最後のセンサ３（導波路２に沿って測定）との間の距離によって決定される。特に、第２のセット５の最も遠いセンサ３からの反射は、次のパルスからの最初の反射の前にインタロゲータ３０に戻ることが望ましい。例えば、インタロゲータ３０から１００メートル離れた最も遠いセンサを有する標準的な光ファイバの場合、反射パルスの最大往復移動時間は約１マイクロ秒である。したがって、連続する各パルス放射の間に、少なくとも１マイクロ秒の遅延を使用する必要がある。
【００９１】
第１のセンサから反射された光の強度は、パルス放射中または放射後のいずれかで、ステップ２０４で（ステップ２０２の検出器設定に従って）監視される。次に、ステップ２０２から２０４が、第２のセット５内の残りのセンサのそれぞれについて繰り返され、信号の読み取りが各センサについて別々に行われる。代替の実施形態では、ステップ２０２を回避することができ、次に、反射光を迅速に連続してサンプリングし、反射パルスの次数または強度に従って各反射が返されるセンサを識別することによって、ステップ２０４を実施することができる。
【００９２】
次に、方法はステップ２０５に進み、その時点で、所与のセンサ３に関連する各「タイムスロット」について検出器２０によって取得されたデータに対するスペクトルがプロットされる。次に、取得されたスペクトルに対してステップ２０６でピーク検出の方法が実行され、反射光の強度から各センサ３のセンサ波長を推測する。次に、第２のセット５の各センサ３での測定量（通常は温度）が、それぞれのセンサ波長に基づいて、ステップ２０７でインタロゲータ３０によって計算される。次に、この出力は、外部デバイス（図示せず）を介してユーザに伝達される。
【００９３】
さらなる実施形態では、前述の実施形態のいずれかで説明した光源及び導波路を含むキットを提供することができ、ここで各グループの隣接センサは、パルス持続時間中に導波路に沿って光が移動する距離の半分未満の距離だけ離れている。このようなキットは、前述のホットスポット検出技法での使用に適しており、対応する利点を共有するだろう。
【００９４】
したがって、高濃度のセンサを使用して測定量異常を検出することと、他の別個の位置で測定量自体を監視することの両方に第１及び第２のセットのセンサを使用することは、従来技術に比べて大きな利点を提供する。したがって、この装置は、ターゲット装置から貴重な動作データを抽出するための手段として使用することができる。装置は、柔軟で、軽量で、安価に設置することができる。さらに、光センサの使用により、前述の通り、装置は様々な異なる用途に対して適合する。
【図１】
2021532334.tif 000003
【図２】
2021532334.tif 000004
【図３】
2021532334.tif 000005
【図４】
2021532334.tif 000006
【図５】
2021532334.tif 000007
【図６】
2021532334.tif 000008
【図７】
2021532334.tif 000009
【国際調査報告】
2021532334.tif 000010
2021532334.tif 000011
2021532334.tif 000012
2021532334.tif 000013
2021532334.tif 000014